(57)【特許請求の範囲】
【請求項１】
生地に取り付けることが可能であり、且つ、相手方のスナップファスナー部材と解離自在に係合することが出来る耐水性の装置であって、当該耐水性装置は、第１側に係合部を有し、相手方のスナップファスナー部材と解離自在に係合できる第１部材であって、第１側と反対側に生地接触側を有する第１部材と、当該第１部材の生地接触側に設けられた非生地刺通突起部である複数の第１生地把持突起部と、第１部材と係止可能であり、生地接触側を有している第２部材と、当該第２部材の生地接触側に設けられた複数の第２生地把持突起部とからなり、当該第２生地把持突起部は、非生地刺通突起部であって、複数の第１及び第２生地把持突起部は、互いからオフセットして配されており、これによって、耐水性装置が使用された際に、第１及び第２部材は、第１及び第２生地把持突起部が生地を刺通せずに第１及び第２部材の間で生地を挟持して互いに係止されており、当該複数の第１生地把持突起部は、耐水性装置の中心の周囲に円形のパターンで配されており、当該複数の第２生地把持突起部は、耐水性装置の中心の周りで円形のパターンで配されており、当該複数の第１生地把持突起部から半径方向にオフセットして配されており、生地は、半径方向の空隙ｆｃ１，ｆｃ２，ｆｃ３及びｆｃ４の間で把持突起部によって刺通されることなく押圧されており、空隙ｆｃ１と空隙ｆｃ２とにおいては生地が圧縮によって薄くなっている圧縮生地部分が形成され、空隙ｆｃ３と空隙ｆｃ４とにおいては圧縮量が無いか小さいので生地が厚くなっている非圧縮部分又は小圧縮部分が形成され、圧縮部分と非圧縮部分又は小圧縮部分とが交互に配された複雑なパターンが生ずることを特徴とする耐水性装置。
【請求項２】
当該複数の第１生地把持突起部は、複数の第２生地把持突起部の中心からの半径距離よりも大きい中心からの半径距離だけ離れて配されていることを特徴とする請求項１に記載された耐水性装置。
【請求項３】
複数の第１生地把持突起部の隣接する個々の第１生地把持突起部は、一定のギャップだけ互いから円周方向に離隔しており、当該個々の第１生地把持突起部は、当該ギャップの長さよりも長い長さを有していることを特徴とする請求項１に記載された耐水性装置。
【請求項４】
複数の第２生地把持突起部の隣接する個々の第２生地把持突起部は、一定のギャップだけ互いから円周方向に離隔しており、当該個々の第２生地把持突起部は、当該ギャップの長さよりも長い長さを有していることを特徴とする請求項１に記載された耐水性装置。
【請求項５】
複数の第１生地把持突起部の隣接する個々の第１生地把持突起部は、第１ギャップだけ互いから円周方向に離隔しており、当該個々の第１生地把持突起部は、第１ギャップの長さよりも長い長さを有しており、複数の第２生地把持突起部の隣接する個々の第２生地把持突起部は、第２ギャップだけ互いから円周方向に離隔しており、当該個々の第２生地把持突起部は、第２ギャップの長さよりも長い長さを有していることを特徴とする請求項２に記載された耐水性装置。
【請求項６】
第１部材は、スナップファスナースタッドであることを特徴とする請求項１に記載された耐水性装置。
【請求項７】
第２部材は、スナップトップであることを特徴とする請求項６に記載された耐水性装置。
【請求項８】
第１部材は、スナップファスナーソケットであることを特徴とする請求項１に記載された耐水性装置。
【請求項９】
第２部材は、スナップトップであることを特徴とする請求項８に記載された耐水性装置。
【請求項１０】
第１及び第２部材は、プラスチック製であることを特徴とする請求項１に記載された耐水性装置。
【請求項１１】
複数の第１及び第２生地把持突起部の少なくとも一つは、断面が三角形状を有しており、当該三角形状の第１辺は、夫々第１部材又は第２部材の三角形状の底辺であり、当該三角形状の頂点は、第１辺の反対側にあり、当該三角形状の第２辺は、約４５度未満の角度Ｙを頂点に形成しており、当該三角形状の第３辺は、約４５の角度Ｘを頂点に形成していることを特徴とする請求項１に記載された耐水性装置。
【請求項１２】
複数の第１及び第２生地把持突起部は、断面において三角形状を有し、当該三角形状の第１辺は、夫々第１部材又は第２部材の三角形状の底辺であり、当該三角形状の頂点は、第１辺の反対側にあり、当該三角形状の第２辺は、約４５度未満の角度Ｙを頂点に形成しており、当該三角形状の第３辺は、約４５の角度Ｘを頂点に形成しており、第１生地把持突起部の角度Ｙを有する三角形状の第２辺は、第２生地把持突起部の角度Ｙを有する三角形状の第２辺と対面していることを特徴とする請求項２に記載された耐水性装置。
【請求項１３】
生地に取り付けることが可能であり、且つ、相手方のスナップファスナー部材と解離自在に係合することが出来る耐水性の装置であって、当該耐水性装置は、第１側に設けられた相手方のスナップファスナー部材と解離自在に係合可能な係合部と、当該第１側の反対側に設けられた生地接触側とを有する本体と、スナップファスナー部材の本体の生地接触側に設けられた非生地刺通突起部である複数の第１生地把持突起部とからなる耐水性スナップファスナー部材と、  当該耐水性スナップファスナー部材と係止可能な耐水性スナップトップであって、生地接触側を有する本体と、スナップトップの本体の生地接触側に設けられた複数の第２生地把持突起部とを有する当該耐水性スナップトップとからなる耐水性装置であって、  当該第２生地把持突起部は、非生地刺通突起部であり、複数の第１及び第２生地把持突起部は、互いからオフセットされており、これによって、耐水性装置を使用する際に、耐水性スナップファスナー部材と耐水性スナップトップは、第１及び第２生地把持突起部が生地を刺通することなく耐水性スナップファスナー部材と耐水性スナップトップとの間に生地を把持して互いに係止されており、複数の第１生地把持突起部は、耐水性装置の中心の周りに円形状のパターンで配されており、複数の第２生地把持突起部は、耐水性装置の中心の周りに円形状のパターンで配されており、複数の第１生地把持突起部から半径方向にオフセットされており、生地は、半径方向の空隙ｆｃ１，ｆｃ２，ｆｃ３及びｆｃ４の間で把持突起部によって刺通されることなく押圧されており、空隙ｆｃ１と空隙ｆｃ２とにおいては生地が圧縮によって薄くなっている圧縮生地部分が形成され、空隙ｆｃ３と空隙ｆｃ４とにおいては圧縮量が無いか小さいので生地が厚くなっている非圧縮部分又は小圧縮部分が形成され、圧縮部分と非圧縮部分又は小圧縮部分とが交互に配された複雑なパターンが生ずることを特徴とする前記耐水性装置。
【請求項１４】
複数の第１生地把持突起部は、複数の第２生地把持突起部の中心からの半径距離よりも大きい中心からの半径距離だけ離して配されていることを特徴とする請求項１３に記載された耐水性装置。
【請求項１５】
複数の第１生地把持突起部の隣接する個々の第１生地把持突起部は、第１ギャップだけ互いから円周方向に離隔しており、個々の第１生地把持突起部は、第１ギャップの長さよりも長い長さを有しており、隣接する個々の第２生地把持突起部は、第２ギャップだけ互いから円周方向に離隔しており、個々の第２生地把持突起部は、第２ギャップの長さよりも長い長さを有していることを特徴とする請求項１４に記載された耐水性装置。
【請求項１６】
複数の第１及び第２生地把持突起部は、断面において三角形状を有しており、三角形状の第１辺は、夫々のスナップファスナー部材又はスナップトップの本体における三角形状の底辺であり、三角形状の頂点は、第１辺の反対側にあり、三角形状の第２辺は、頂点において約４５度未満である角度Ｙを形成しており、三角形状の第３辺は、約４５度の角度Ｘを頂点において形成しており、  第１生地把持突起部の角度Ｙを有する三角形状の第２辺は、第２生地把持突起部の角度Ｙを有する三角形状の第２辺と対面していることを特徴とする請求項１４に記載された耐水性装置。
【請求項１７】
生地に取付可能な耐水性スナップファスナーであって、当該スナップファスナーは、第１側にソケット係合部を有し、第１側の反対側に生地接触側とを有するスタッドと、  当該スタッドの生地接触側に設けられ、略円形のパターンで配されている非生地刺通突起部である複数の第１生地把持突起部と、  使用に際して、間に生地を挟持してスタッドと係止可能であり、生地接触側を有している第１スナップトップと、  第１スナップトップの生地接触側に設けられ、略円形パターンで配されている複数の第２生地把持突起部であって、第１生地把持突起部から半径方向にオフセットされており、非生地刺通突起部である当該複数の第２生地把持突起部と、  第１側にスタッド係合部を有し、第１側の反対側に生地接触側とを有するソケットであって、スタッドと互いに解離自在に係合可能である当該ソケットと、  ソケットの生地接触側に設けられ、概ね円形パターンで配されている非生地刺通突起部である複数の第３生地把持突起部と、  使用に際して間に生地を挟持してソケットと係止可能であり、生地接触側を有している第２スナップトップと、  第２スナップトップの生地接触側に設けられ、略円形パターンで配されている複数の第４生地把持突起部であって、第３生地把持突起部から半径方向にオフセットされており、非生地刺通突起部である当該複数の第４生地把持突起部とからなることを特徴とする前記耐水性スナップファスナー。
【発明の詳細な説明】
【技術分野】
【０００１】  本発明は、一般的には、スナップファスナーに関するものである。具体的に言うと、耐水性のスナップファスナーに関するものである。本発明の色々な実施例において、スナップファスナーは、半径方向パターンの円形状の把持突起部を有しており、当該把持突起部が、スナップファスナーの領域において生地又は下層を確実に把持するとともに、生地又は下層の一方側から反対側まで水の浸入に対して抵抗するのである。本発明の実施例は、耐水性の生地又は下層とともに使用される場合に特に有益である。当該スナップファスナーは、水の浸入に対して有効な抵抗力を提供することが出来るとともに、耐水性生地又は下層に対するスナップファスナーの有効な把持力を維持することが出来るのである。本発明は、又、耐水性スナップファスナーを製造及び使用する方法のような方法に関するものである。【０００２】  水、液体の浸入に対する耐水性は、スナップファスナーが水、湿気その他の液体と接触する例えば軍事用途その他のアウトドア用途に使用されるスナップファスナーに望まれるべきである。ここで、水の浸入とは、生地の一方側から水、湿気その他の液体が浸入することであり、この場合、スナップファスナーは、当該生地の反対側に取り付けられる。
【背景技術】
【０００３】  水の浸入に抵抗することが出来るスナップファスナーは今までも存在した。しかし、水の浸入に抵抗することが出来る従来のスナップファスナーは、未だ改良し得るのである。【０００４】  図１乃至図５は、水の浸入に対して抵抗力のある従来のスナップファスナー１０を示している。図１に関して、従来のスナップファスナーアッタチメントは、キャップ即ちスナップトップ１２と、雌部材即ちソケット１４と、雄部材即ちスタッド１６と、もう一つのキャップ即ちスナップトップ１２とからなる。当該スナップファスナーアッタチメント１０は、一般的なスナップファスナー製品におけると同様、部材が係合するためにスプリングアクション機能を必要とする。このスプリングアクションは、例えば、スタッド１６に設けられたスプリングアクション係合部１８によって、そして／又はソケット１４に設けられたスプリングアクション係合部２０によって提供することが出来る。スプリングアクション係合部は、ソケット１４又はスタッド１６（これら二つの部材を集合的に協働部材という。）のいずれか一方に又は両方に設けることも出来る。次に、図２乃至図５に関して述べるが、スナップトップ１２がソケット１４に係合する際、生地２２が、スナップトップ１２とソケット１４との間に配される。同様に、スナップトップ１２がスタッド１６と係合する時は、生地２２は、スナップトップ１２とスタッド１６との間に配される。【０００５】  図２に関してであるが、スタッド１６、スナップトップ１２及び生地２２の取付前の位置が示されている。ソケット１４の取付前の位置は、図２に示されているスタッド１６の取り付け前の位置と同じである。図３は、生地２２を貫通し、スタッド１６と係合しているスナップトップ１２のポスト２４を示している。図４は、上側取付ダイ２６と下側取付ダイ２８によって挟持されたスナップトップ１２とスタッド１６とを示している。スナップトップ１２とスタッド１６とを生地２２に取り付けるために上側取付ダイと下側取付ダイ２６，２８によってポスト２４が変形される。スナップトップ１２とソケット１４は、スナップトップ１２とスタッド１６とが生地に取付けられるのと同様に、生地２２に取り付けられる。図５は、スタッド１６とソケット１４が生地２２に取り付けられた後、スタッド１６とソケット１４（即ち、協働部材）を係合するために配される同一線上の位置関係を示している。【０００６】  図１乃至５のスナップファスナーアッタチメントは、スタッド１６とスナップトップ１２又はソケット１４とスナップトップ１２の対向する平坦な面の間に生地２２を押圧することによって耐水性生地２２に取り付けた時に水の浸入に対する一定の抵抗力を提供することが出来る。しかしながら、このような対向する平坦な面は、弱い生地把持力しか持たない。また、耐水性生地に取り付けられるスナップファスナーは、耐水性を上げるために生地面に対してプラスチック製又はゴム製のワッシャーを配することもよくある。しかし、ワッシャーは、補足的な部品であり、補足的な部品を配することに伴い、補足的な製造工程を必要とし、それだけ製造コストがかさむのである。【０００７】  生地に取り付けられたスナップファスナーは、回��又は横方向への移動することがなく、取り付けられた位置に持続して位置することが好ましい。このような要請は、図１乃至５のスナップファスナー、金属製スナップファスナー、金属とプラスチックの複合スナップファスナーなどを含む色々なスナップファスナーに広く認められる。【０００８】  図１乃至５のスナップファスナーアッタチメント１０のような通常のスナップファスナーは、生地２２に対して回転又は、生地２２に対してスライド（即ち、横方向への移動）をする傾向がある。生地２２に取り付けられたスナップトップ１２とソケット１４及び生地２２に取り付けられたスナップトップ１２とスタッド１６は、スプリングバック現象や、スナップファスナーの幾何学的許容寸法や、スナップファスナーの取付力の不均一性によって、生地に対して回転そして／又は横方向への移動をする傾向がある。これらの移動は、スナップトップ１２，１２のポスト２４が生地２２に貫通するときに作られる生地の穴の拡大を招くのである。穴の拡大は望ましくなく、スナップファスナーアタッチメント１０が生地２２から外れる虞もある。また、穴の拡大によって、水その他の液体が生地２２の一方側から他方側に容易に滲入する虞もある。【０００９】  次に図６及び図７について述べるが、従来のスナップファスナーの回転及びスライドの問題を取り扱う試みの一つとして、スナップファスナーの把持力を上げるためにスナップファスナー面の一つ以上に生地２を貫通するいくつかの把持ピン３０を配することがある。図７は、生地２２に把持ピン３０が係合されて取り付けられたスナップファスナースタッド３２を示している。把持ピン３０は、絹、綿及びニット地のような生地２２を把持する把持力を改良することが出来る。しかし、把持ピン３０を備えたスナップファスナーが耐水性生地２２に取り付けられると、把持ピン３０が生地２２を刺通し、貫通さえする傾向があるので、生地２２を損傷するのである。把持ピン３０が刺通した生地２２の領域を通って水、湿気その他の液体が浸入する虞があり、これは、耐水性生地２２の目的に反するのである。即ち、把持ピン３０は把持力を増大する可能性はあるが、同時に耐水性を低下させるおそれがある。耐水性の生地２２を刺通する把持ピン３０によって作られる穴の欠点を防ぐため、水の浸入に対する抵抗力を維持するため、スナップトップ３４のポスト２４にプラスチック又はゴム製のワッシャーを配することも可能である。しかし、上で述べたように、ワッシャーの使用は望ましくないのである。図７に見られるように、スタッド３２の把持ピン３０及びスナップトップ３４の把持ピン３０とは、中心線から同一の半径方向の距離（半径距離）で配されている。又、把持ピンは、ピン状の形を呈している。
【発明の開示】
【発明が解決しようとする課題】
【００１０】  従って、従来のスナップファスナー、特に、水の浸入に対する抵抗を意図したスナップファスナーは、色々な問題にあり、改良する余地があるのである。従って、上に述べた理由その他の理由によって、スナップファスナーを改良する必要性が存在するのである。
【課題を解決するための手段】
【００１１】  本発明は、スナップファスナーが生地または下層の反対側に取付けられている生地の一方側からの水の浸入に抵抗する即ち防止する新しいスナップファスナーを提供している。本発明の耐水性スナップファスナーの実施例は、生地を刺通しない半径方向にオフセットしたパターンで円形状に配された把持突起部を備えている。また、半径方向にオフセットしたパターンで円形状に配された把持突起部は、生地を把持し、そして、生地上の適切な位置においてスナップファスナーを保持する。【００１２】  本発明のスナップファスナーは、スナップファスナーが水、湿気その他の液体と接触するような用途において特に有益である。この耐水性スナップファスナーは、水、湿気その他の液体の滲入の防止が要求される軍事用、アウトドア用その他の用途に使用することが出来る。この耐水性スナップファスナーは、水、湿気その他の液体に対する抵抗力のあるプラスチック材料で作られてもよい。もちろん、この耐水性スナップファスナーは、金属材料のような他の材料で作ることも出来るのである。【００１３】  本発明の一つの実施例においては、耐水性装置は、生地に取り付けることが可能であり、且つ、相手方のスナップファスナー部材と解離自在に係合することが出来る耐水性の装置であって、当該耐水性装置は、第１側に係合部を有し、相手方のスナップファスナー部材と解離自在に係合できる第１部材であって、第１側と反対側に生地接触側を有する第１部材と、当該第１部材の生地接触側に設けられた非生地刺通突起部である複数の第１生地把持突起部と、第１部材と係止可能であり、生地接触側を有している第２部材と、当該第２部材の生地接触側に設けられた複数の第２生地把持突起部とからなり、当該第２生地把持突起部は、非生地刺通突起部であって、複数の第１及び第２生地把持突起部は、互いからオフセットして配されており、これによって、耐水性装置が使用された際に、第１及び第２部材は、第１及び第２生地把持突起部が生地を刺通せずに第１及び第２部材の間で生地を挟持して互いに係止されており、当該複数の第１生地把持突起部は、耐水性装置の中心の周囲に円形のパターンで配されており、当該複数の第２生地把持突起部は、耐水性装置の中心の周りで円形のパターンで配されており、当該複数の第１生地把持突起部から半径方向にオフセットして配されており、生地は、半径方向の空隙ｆｃ１，ｆｃ２，ｆｃ３及びｆｃ４の間で把持突起部によって刺通されることなく押圧されており、空隙ｆｃ１と空隙ｆｃ２とにおいては生地が圧縮によって薄くなっている圧縮生地部分が形成され、空隙ｆｃ３と空隙ｆｃ４とにおいては圧縮量が無いか小さいので生地が厚くなっている非圧縮部分又は小圧縮部分が形成され、圧縮部分と非圧縮部分又は小圧縮部分とが交互に配された複雑なパターンが生ずることを特徴とする。【００１４】  当該複数の第１生地把持突起部は、複数の第２生地把持突起部の中心からの半径距離よりも大きい中心からの半径距離だけ離れて配されていてもよい。複数の第１生地把持突起部の隣接する個々の第１生地把持突起部は、一定のギャップだけ互いから円周方向に離隔しており、当該個々の第１生地把持突起部は、当該ギャップの長さよりも長い���さを有していてもよい。【００１５】    複数の第２生地把持突起部の隣接する個々の第２生地把持突起部は、一定のギャップだけ互いから円周方向に離隔しており、当該個々の第２生地把持突起部は、当該ギャップの長さよりも長い長さを有してもよい。【００１６】    複数の第１生地把持突起部の隣接する個々の第１生地把持突起部は、第１ギャップだけ互いから円周方向に離隔しており、当該個々の第１生地把持突起部は、第１ギャップの長さよりも長い長さを有しており、複数の第２生地把持突起部の隣接する個々の第２生地把持突起部は、第２ギャップだけ互いから円周方向に離隔しており、当該個々の第２生地把持突起部は、第２ギャップの長さよりも長い長さを有してもよい。【００１７】  第１部材は、スナップファスナースタッドであってもよいし、又、スナップファスナーソケットであってもよい。第２部材は、スナップトップであってもよい。【００１８】  第１部材と第２部材は、プラスチック製であってもよい。【００１９】  複数の第１及び第２生地把持突起部の少なくとも一つは、三角形断面を有しても良い。当該三角形状の第１辺は、夫々の第１部材又は第２部材における三角形状の底辺であり、第１辺の反対側に三角形状の頂点があり、当該三角形状の第２辺は、約４５度未満の角度Ｙをその頂点に形成しており、当該三角形状の第３辺は、約４５度の角度Ｘをその頂点に形成している。第１生地把持突起部の角度Ｙを有する三角形状の第２辺は、第２生地把持突起部の角度Ｙを有する三角形状の第２辺に対面しても良い。【００２０】  本発明の別の実施例においては、耐水性装置は、生地に取り付けることが可能であり、且つ、相手方のスナップファスナー部材と解離自在に係合することが出来る耐水性の装置であって、当該耐水性装置は、第１側に設けられた相手方のスナップファスナー部材と解離自在に係合可能な係合部と、当該第１側の反対側に設けられた生地接触側とを有する本体と、スナップファスナー部材の本体の生地接触側に設けられた非生地刺通突起部である複数の第１生地把持突起部とからなる耐水性スナップファスナー部材と、  当該耐水性スナップファスナー部材と係止可能な耐水性スナップトップであって、生地接触側を有する本体と、スナップトップの本体の生地接触側に設けられた複数の第２生地把持突起部とを有する当該耐水性スナップトップとからなる耐水性装置であって、  当該第２生地把持突起部は、非生地刺通突起部であり、複数の第１及び第２生地把持突起部は、互いからオフセットされており、これによって、耐水性装置を使用する際に、耐水性スナップファスナー部材と耐水性スナップトップは、第１及び第２生地把持突起部が生地を刺通することなく耐水性スナップファスナー部材と耐水性スナップトップとの間に生地を把持して互いに係止されており、複数の第１生地把持突起部は、耐水性装置の中心の周りに円形状のパターンで配されており、複数の第２生地把持突起部は、耐水性装置の中心の周りに円形状のパターンで配されており、複数の第１生地把持突起部から半径方向にオフセットされており、生地は、半径方向の空隙ｆｃ１，ｆｃ２，ｆｃ３及びｆｃ４の間で把持突起部によって刺通されることなく押圧されており、空隙ｆｃ１��空隙ｆｃ２とにおいては生地が圧縮によって薄くなっている圧縮生地部分が形成され、空隙ｆｃ３と空隙ｆｃ４とにおいては圧縮量が無いか小さいので生地が厚くなっている非圧縮部分又は小圧縮部分が形成され、圧縮部分と非圧縮部分又は小圧縮部分とが交互に配された複雑なパターンが生ずることを特徴とする。【００２２】  複数の第１生地把持突起部は、複数の第２生地把持突起部の中心からの半径距離よりも大きい半径距離で、その中心から離れて配されていてもよい。【００２３】  複数の第１生地把持突起部の隣接する個々の第１生地把持突起部は、第１ギャップだけ円周方向に互いから離隔してもよい。そして、個々の第１生地把持突起部は、第１ギャップの長さよりも長い長さを有しても良い。複数の第２生地把持突起部の隣接する個々の第２生地把持突起部は、第２ギャップだけ円周方向に互いから離隔してもよい。そして、個々の第２生地把持突起部は、第２ギャップの長さよりも長い長さを有しても良い。【００２４】  複数の第１及び第２生地把持突起部は、三角形断面を有しても良い。当該三角形状の第１辺は、夫々のスナップファスナー部材又はスナップトップの本体における三角形状の底辺であり、第１辺の反対側に当該三角形状の頂点があり、当該三角形状の第２辺は、約４５度未満の角度Ｙをその頂点に形成しており、当該三角形状の第３辺は、約４５度の角度Ｘをその頂点に形成している。第１生地把持突起部の角度Ｙを有する三角形状の第２辺は、第２生地把持突起部の角度Ｙを有する三角形状の第２辺に対面している。【００２５】  別の実施例においては、耐水性スナップファスナーは、生地に取付可能であって、第１側にソケット係合部と当該第１側の反対側に生地接触側とを備えたスタッドを有する。スタッドの生地接触側には、複数の第１生地把持突起部が設けられており、これらの第１生地把持突起部は、概ね円形パターンで配されている。第１生地把持突起部は非生地刺通突起部である。使用に際しては、スタッドには第１スナップトップを係止することができ、その際、これらの間には、生地が挟持される。第１スナップトップは、生地接触側を有している。第１スナップトップの生地接触側には、複数の第２生地把持突起部が設けられており、これらの第２生地把持突起部は、概ね円形のパターンで配されている。第２生地把持突起部は、第１生地把持突起部から半径方向にオフセットしており、非生地刺通突起部である。ソケットは、第１側にスタッド係合部と、第１側の反対側に生地接触側を有している。スタッドとソケットは、互いに解離自在に係合可能である。ソケットの生地接触側には、複数の第３生地把持突起部が設けられており、概ね円形パターンで配されている。第３生地把持突起部は、非生地刺通突起部である。使用に際して、第２スナップトップは、ソケットに係止可能であり、その際、第２スナップトップとソケットとの間に生地を挟持している。第２スナップトップは、生地接触側を有している。複数の第４生地把持突起部が第２スナップトップの生地接触側に設けられており、概ね円形のパターンで配されている。第４生地把持突起部は、第３生地把持突起部から半径方向にオフセットされており、第４生地把持突起部は、非生地刺通突起部である。【００２６】  本発明の実施例は、色々な特徴を有し、色々な効果を達成することが出来る。本発明のこれらの特徴と効果は求められても良いが、本発明の実施に必ずしも必要ではない。
【発明の効果】
【００２７】  本発明の効果は、新しいスナップファスナーを提供することである。
本発明の更なる効果は、耐水性のスナップファスナーを提供することである。本発明の別の効果は、スナップファスナーが生地に取付けられている領域において生地の一方側から生地の反対側に水、湿気その他の液体が浸入するのを妨げ又は防止することである。【００２８】  本発明の更なる効果は、プラスチックスナップファスナーのようなスナップファスナーと生地の間に耐水シールを提供することである。
また、他の効果は、耐水性スナップファスナーを製造及び使用する新しい方法を提供することなどである。
【発明を実施するための最良の形態】
【００２９】  本発明による耐水性スナップファスナーの一例が図８乃至図１２に示されている。当該耐水性スナップファスナーは、スタッド３６（図８（ａ）及び図８（ｂ））と、ソケット３８（図９（ａ）及び図９（ｂ））と、一対のスナップトップ４０（図１０（ａ）及び図１０（ｂ））とからなる。即ち、スタッド３６とソケット３８について一つづつのスナップトップ４０が配される。耐水性スナップファスナーは、生地の一方側からの水の浸入に抵抗し、これを防止するものである。この場合、耐水性スナップファスナーは、生地の反対の側に取り付けられている。耐水性スナップファスナーは、生地に対する確実な保持力を維持している。”生地”という文言は、本明細書の中で頻繁に使われるけれども、一般的に使用されるものであり、他の下層、シートその他のシート状材料をも含むものである。本発明による耐水性スナップファスナーは耐水性生地とともに使用されることが好ましい。【００３０】  図８（ａ）は、耐水性スナップファスナーのスタッド３６を示す平面図であり、図８（ｂ）は、当該スタッド３６の断面図である。図９（ａ）は、耐水性スナップファスナーのソケット３８を示す平面図であり、図９（ｂ）は、当該ソケット３８の断面図である。図１０（ａ）は、耐水性スナップファスナーのスナップトップ４０を示す平面図であり、図１０（ｂ）は、当該スナップトップ４０の断面図である。図１１は、生地その他の下層４２に取り付けられたスタッド３６とスナップトップ４０を示す断面図である。図１２は、図１１の拡大図であり、スタッド３６が省略され、スナップトップ４０が生地その他の下層４２に係合されている状態を示している。【００３１】  図８（ａ）及び図８（ｂ）に関してであるが、耐水性スナップファスナーのスタッド３６は、環状フランジ本体４４を有している。概ね円筒状のスプリングアクション係合部４６が、環状フランジ本体４４のソケット係合側４８において、当該環状フランジ本体４４から軸方向に延びている。環状フランジ本体４４は、スナップトップトップ４０（図１０（ａ）及び図１０（ｂ））のポスト５２を収容するため中心穴５０を有している。環状フランジ本体４４は、穴５０の周囲において、当該環状フランジ本体４４の生地側５６方向に軸方向にオフセットしている縁部５４を有している。スタッド３６は、以下に詳細に説明する把持突起部５８を生地側５６に有している。【００３２】  図９（ａ）及び図９（ｂ）に関してであるが、耐水性スナップファスナーのソケット３８は、スナップトップ４０（図１０（ａ）及び図１０（ｂ））のポスト５２を収容するため中心穴６２を備えた環状本体６０を有している。環状本体６０は、穴６２の周囲において、当該環状本体６０の生地側６６方向に軸方向にオフセットしている縁部６４を有している。環状本体６０は、当該環状本体６０のスタッド係合側７０に軸方向において概ね円周状のスプリングアクション係合部６８を有している。ソケット３８は、生地側６６に以下に詳細に説明する把持突起部７２を有している。【００３３】  耐水性スナップファスナーのスタッド３６とソケット３８は、解離自在にスナップ係合することができる。更に具体的に言うと、スタッド３６とソケ��ト３８のスプリングアクション係合部４６，６８は、互いに対して弾性的に係合し、解離することが出来る。スタッド３６のスプリングアクション係合部４６は、ソケット３８のスプリングアクション係合部４６の内径に合わせて外径を有しており、弾性スプリングアクション係止することを考慮している。スタッド３６のスプリングアクション係合部４６上に設けられた外方を向いている環状突起部７４は、スタッド３６とソケット３８が係合し解離する際に、ソケット３８のスプリングアクション係合部６８上に設けられた環状突起部７４に対応する内方に向いている環状突起部７６を通過して弾性的にスライドする。【００３４】  図１０（ａ）及び図１０（ｂ）に関してであるが、スナップトップ４０は、生地側８０を有する環状フランジ本体７８を有している。環状フランジ本体７８の生地側８０からポスト５２が軸方向に延びている。スナップトップ４０も、生地側８０に、以下に詳細に説明する把持突起部８２を備えている。スナップトップ４０は、取付済みタイプの部材である。しかし、本発明は、他の適切なスナップトップを使用して実施することも出来る。【００３５】  図８乃至図１２を参照して、本発明の顕著な特徴である把持突起部５８，７２，８２を以下に詳細に説明する。把持突起部５８，７２，８２は、スタッド３６  （図８（ａ）及び図８（ｂ））、ソケット３８（図９（ａ）及び図９（ｂ））、スナップトップ４０（図１０（ａ）及び図１０（ｂ））の生地側５６，６６，８０に配された半径方向パターンの円形状の把持突起部である。把持突起部５８，７２，８２の半径状パターンの把持突起部５８，７２，８２は、生地４２の把持力を増大し、取付けられた耐水性スナップファスナーが生地４２上で回転し又はスライドすることを防止し、生地４２に耐水性シールを作るために特別のパターンで配されている。幾何学的に言うと、スタッド３６の半径方向パターンの把持突起部５８とソケット３８の半径方向パターンの把持突起部７２は同一である。しかし、スタッド３６とソケット３８の半径方向パターンの把持突起部５８，７２は、スナップトップ４０の半径方向パターンの把持突起部８２からは、半径方向でオフセットされている。このように把持突起部が半径方向にオフセットした（位置的にずれている）構造または配置であるので、協働する把持突起部は、生地４２を確実に把持し、耐水シールを形成するため互いに協働することが出来るのである。生地４２を確実に把持し、耐水シールを形成するため、スタッド３６の把持突起部５８は、一方のスナップトップ４０の把持突起部８２と協働し、そして、ソケット３８の把持突起部７２は、他方のスナップトップ４０の把持突起部８２と協働するのである。【００３６】  図１１及び図１２に関してであるが、図１１は、スナップトップ４０と係合し生地４２に取付けられているスタッド３６を示している。図１２は、図１１の拡大図を示しており、生地４２と係合しているスナップトップ４０の把持突起部８２の一例を示すためにスタッド３６が省略されている。図１１及び図１２に示されたスタッド３６、スナップトップ４０及び生地４２の配列と係合の仕方は、ソケット３８、スナップトップ４０及び生地４２の配列と係合の仕方と同一である。【００３７】  図１２に関してであるが、把持突起部８２は、断面が三角形状をしている。当該三角形の第１辺は、スナップトップ４０上にある三角形状の底辺である。当該三角形の頂点は、当該三角形の第１辺と反対側にある。当該三角形の第２辺は、その頂点において、角度Ｙを形成し、三角形の第３辺は、頂点において、角度Ｘを形成している。以上、図１２を参照にして、スナップトップ４０の把持突起部８２の断面三角形状の第１辺乃至第３辺及び角度Ｘ，Ｙのみを説明したが、図８乃至図１２から容易に判るように、上記の説明は、スタッド３６とソケット３８の夫々の把持突起部５８と７２の三角形状の第１辺乃至第３辺及び角度Ｘ，Ｙについても適用される。そして、スナップトップ４０の角度Ｙを有する三角形状の第２辺は、スタッド３６又はソケット３８の角度Ｙを有する三角形状の第２辺に面している。好ましい角度Ｙは、４５度未満であり、そして、好ましい角度Ｘは、約４５度である。生地４２は、半径方向の空隙ｆｃ１，ｆｃ２，ｆｃ３及びｆｃ４の間で把持突起部８２，５８によって刺通されることなく押圧される。これらの空隙ｆｃ１，ｆｃ２，ｆｃ３及びｆｃ４を詳しく説明すると、空隙ｆｃ１は、スタッド３６の縁部５４又はソケット３８の縁部６４と、ポスト５２近傍のスナップトップ４０の環状フランジ部７８との間に形成される。空隙ｆｃ２は、スタッド３６の把持突起部５８の第２辺又はソケット３８の把持突起部７２の第２辺と、スナップトップ４０の把持突起部８２の第２辺との間に形成される。空隙ｆｃ３は、スタッド３６の縁部５４又はソケット３８の縁部６４と、スナップトップ４０の把持突起部８２の第３辺との間に形成される。空隙ｆｃ４は、スタッド３６の環状フランジ４４の外周縁部又はソケット３８の環状本体６０の外周縁部と、スナップトップ４０の環状フランジ本体７８の外周縁部との間に形成される。このように、生地４２が半径方向の空隙ｆｃ１，ｆｃ２，ｆｃ３及びｆｃ４の間で把持突起部８２，５８によって刺通されることなく押圧されることによって、耐水性スナップファスナーが生地４２に対して回転しスライドすることが効果的に排除される。ｆｃ１の空隙は、ｆｃ２，ｆｃ３及びｆｃ４の空隙よりも小さくすることが出来る。スタッド３６の把持突起部５８の第２辺は、その第３辺よりもスタッド３６の半径方向内側に位置し、同様に、ソケット３８の把持突起部７２の第２辺は、その第３辺よりもソケット３８の半径方向内側に位置する。他方、スナップトップ４０の把持突起部８２の第２辺は、その３辺よりもスナップトップ４０の半径方向外側に位置する。【００３８】  半径パターンの生地把持突起部５８，７２，８２は、生地４２を刺通しない。むしろ、半径パターンの把持突起部５８，７２，８２は、生地４２が半径パターンの把持突起部５８，７２，８２の周囲を包囲するような構造になっている。生地４２を通る水の浸入に対する抵抗力が維持される一つの理由は、半径パターンの把持突起部５８，７２，８２が生地４２を刺通していないためである。【００３９】  図８乃至図１０に関してであるが、半径パターンの把持突起部５８，７２，８２は、円周上を連続して延びていない。むしろ、夫々の個々の把持突起部５８，７２，８２の間には、ギャップ８４（図８（ａ）及び図８（ｂ））、ギャップ８６（図９（ａ）及び図９（ｂ））及びギャップ８８（図１０（ａ）及び図１０（ｂ））が存在する。換言すると、隣接する個々の把持突起部は、これらのギャップによって、夫々から円周方向に離隔しているのである。図８（ａ）に示されているように、スタッド３６の夫々の個々の把持突起部５８は、ギャップ８４の長さ１ｃよりも長い長さ１ｄを有している。図９（ａ）に示されているように、ソケット３８の夫々の個々の把持突起部７２は、ギャップ８６の長さ２ｃよりも長い長さ２ｄを有している。図１０（ａ）に示されているように、スナップトップ４０の夫々の個々の把持突起部８２は、ギャップ８８の長さ３ｃよりも長い長さ３ｄを有している。個々の把持突起部５８，７２，８２の長さ１ｄ，２ｄ，３ｄは、夫々ギャップ８４，８６，８８の長さ１ｃ，２ｃ，３ｃよりも長くすべきである。【００４０】  把持突起部５８，７２，８２の一つの効果は、当該耐水性スナップファスナーが生地４２に対して耐水性シールを有しているということである。図１乃至図５の従来のスナップファスナー１０に関して言うと、スタッド１６は、スナップトップ１２のポスト２４のために穴９０を有し、ソケット１４は、スナップトップ１２のポスト２４のために穴９２を有している。スタッド１６とソケット１４は、これら夫々のポスト穴９０，９２の周囲に隆起した縁部９４，９６を夫々有している。スタッド１６又はソケット１４がそのスナップトップ１２に係合する際、スナップトップ１２のポスト２４，２４とスタッド１６とソケット１４の穴９０，９２の周囲の縁部９４，９６との間のスペースは、かなりタイトであり、穴９０，９２は、取り付けられている間に通常大きくなるのである。拡大した穴９０，９２は、生地２２を通して漏水を招くのである。しかし、本発明の耐水性スナップファスナーの実施例は、穴が拡大するような問題は生じないので、これに伴う水の浸入の問題も生じないのである。【００４１】  図８乃至図１２に関して、半径方向にオフセットしたパターンの円形状の把持突起部５８，７２，８２は、組み合わされたスタッド３６、生地４２及びスナップトップ４０と、組み合わされたソケット３８、生地４２とスナップトップ４０の力を変化させる。これらの力は、力の変化が無い場合には、スタッド３６とソケット３８内の穴５０，６２を拡大する傾向がある。オフセットされたパターンの円形状の把持突起部５８，７２，８２によってスタッド３６の隆起した縁部５４又はソケット３８の隆起した縁部６４に発生した力は、スタッド３６の穴５０又はソケット３８の穴６２の幾何学的形状を変更させない、即ち、穴５０，６２は、拡大しないのである。従って、スタッド３６又はソケット３８における拡大穴５０，６２による水の浸入は生じないのである。又、スタッド３６がスナップトップ４０に係合する際に、穴５０の周囲の縁部５４はスナップトップ５２の底部（即ち、スナップトップ４０の環状フランジ本体７８に連結された又はそれに近傍のポスト５２の部分）に到達する。そして、縁部５４は、生地４２に圧力を付与し、生地４２が確実に把持されている間、スナップ��ップ４０のポスト５２の全周に耐水性シールを行うのである。ソケット３８とスナップトップ４０も、スタッド３６がスナップトップ４０と類似した機能を行なう。【００４２】  スナップトップ４０がスタッド３６又はソケット３８と係合している時に、スナップトップ４０の把持突起部８２は、スタッド３６の夫々協働する把持突起部５８又はソケット３８の把持突起部７２に対して半径方向にオフセットしている。スナップトップ４０のギャップ８８と把持突起部８２の数は、オフセットされたパターンの円形状の把持突起部５８，７２を円周方向で互い違いに配置するため、スタッド３６とソケット３８のギャップ８４，８６と把持突起部５８，７２の数に対して異なる数にすることもできる。オフセットされたパターンの円形状の把持突起部５８，７２，８２が円周方向に互い違いに配されることによって、生地４２の把持力を高めることが出来るのである。【００４３】  図１１及び図１２についてであるが、夫々、オフセットしたパターンの円形状の把持突起部５８，７２，８２を備えたにスタッド３６又はソケット３８とスナップトップ４０との間には空隙ｆｃ１、ｆｃ３、ｆｃ２、ｆｃ４が形成され、半径方向外側へ向けてここに示された順序で配されている。空隙ｆｃ１と空隙ｆｃ２とにおいて圧縮生地部分９８（この部分において、生地４２は圧縮によって薄くなる。）が形成され、空隙ｆｃ３とｆｃ４とにおいて非圧縮部分又は少圧縮部分１００（これらの部分において、生地４２は、圧縮量が小さいか無いので生地４２は厚くなる。）が形成され、圧縮部分９８と非圧縮部分又は小圧縮部分１００とが交互に配された複雑なパターンを提供する。オフセットしたパターンの円形状の把持突起部５８，７２，８２によって惹起された圧縮生地部と非圧縮生地部９８，１００が交互に配された複雑なパターンは、生地４２とオフセットしたパターンの円形状の把持突起部５８，７２，８２との間に生ずる摩擦によって、耐水性スナップファスナーの回転又はスリップに対する抵抗力を高めるのである。【００４４】  本発明の実施例は、重要な効果を提供することが出来るのである。例えば、耐水性スナップファスナーの実施例は、生地４２を把持するために、生地４２を刺通することなく生地４２を押しつぶすことによって、そして、厚手の生地部分と薄手の生地部分を交互に形成することによって生ずる摩擦力を利用することによって、生地４２を確実に保持することが出来るのである。耐水性生地４２に適用された本発明の実施例は、生地４２とスタッド３６とスナップトップ４２の間及び生地４２とソケット３８とスナップトップ４０の間に耐水性シールを提供することが出来る。図１２に示された位置ｆｃ１において、特に水の浸入を防ぐ耐水性のシールが形成され得るのである。本発明の実施例は、従来のスナップファスナーが把持力を有している面積よりも大きな面積に亘って生地把持力を提供することができる。更に、スタッド３６とスナップトップ４０が確実に係合し、これによって、湿気の浸入を減らすため強い圧力を提供するのである。同様に、ソケット３８とスナップトップ４０も確実に係合し、これによって、湿気の浸入を減らすため強い圧力を提供するのである。又、本発明の実��例は、生地４２を刺通しないし損傷もしないのである。従って、本発明は、耐水性について改良されているのである。【００４５】  本発明のもう一つの特徴と効果は、耐水性スナップファスナーの積層された高さが低いことである。換言すると、耐水性スナップファスナーの全体的な高さが従来のスナップファスナーと比較してさほど高くはないということである。組み立てられたスタッド３６とスナップトップ４０及び組み立てられたソケット３８とスナップトップ４０の高さは、スタッド３６とソケット３８がスナップ係合された時のスナップファスナー全体の高さと同様に、低いのである。耐水性スナップファスナーの高さが低いことを達成することができたとともに、生地の確実な取り付けが維持され、生地の耐水性シールも維持されるのである。【００４６】  本発明は、開示された耐水性スナップファスナーに変更を加えることによっても実施することも出来る。また、耐水性スナップファスナーの一部または耐水性スナップファスナーの全体を所望の材料またはその組合せで作ることも出来る。例えば、この耐水性スナップファスナーは、プラスチック材料で作ることも出来る。もちろん、例えば金属材料等の他の材料を、単独でまたは金属材料と組み合わせて使用することも出来るのである。【００４７】  ここに開示された好ましい実施例のいくつかの変更と改良は、当業者にとって明確であると理解すべきである。本発明の精神と範囲を逸脱することなく、そして、当初意図した効果を減ずることなく、このような変更と改良は行なうことが出来るのである。従って、このような変更と改良は、ここに添付されたクレームの範囲に属するのである。
【図面の簡単な説明】
【００４８】
【図１】図１は、従来のスナップファスナーの分解部分断面図である。
【図２】図２は、生地に取り付けるための位置に配された図１の従来のスナップファスナーのスナップトップとスタッドの部分断面図である。
【図３】図３は、生地に取付ける際における従来のスナップファスナーのスナップトップとスタッドの部分断面図である。
【図４】図４は、生地に取り付ける際における従来のスナップファスナーのスナップトップとスタッドの別の部分断面図である。
【図５】図５は、生地に取り付けられた図１の従来のスナップファスナーの部分断面図である。
【図６】図６は、スナップトップとスタッドが把持ピンを有している別の従来型のスナップファスナーのスナップトップとスタッドを示す説明図である。
【図７】図７は、生地に取り付けられた図６の従来型のスナップトップとスタッドを示す断面図である。
【図８】図８（ａ）は、本発明による耐水性スナップファスナーのスタッドの平面図であり、図８（ｂ）は、図８（ａ）の切断線８ｂ−８ｂに沿って切られたスタッドの断面図である。
【図９】図９（ａ）は、本発明による耐水性スナップファスナーのソケットの平面図であり、図９（ｂ）は、図９（ａ）の切断線９ｂ−９ｂに沿って切られたソケットの断面図である。
【図１０】図１０（ａ）は、本発明による耐水性スナップファスナーのスナップトップの平面図であり、図１０（ｂ）は、図１０（ａ）の切断線１０ｂ−１０ｂに沿って切られたスナップトップの断面図である。
【図１１】図１１は、生地又はその他の下層に取り付けられた図８（ａ）及び図８（ｂ）のスタッドと図１０（ａ）及び図１０（ｂ）のスナップトップの断面図である。
【図１２】図１２は、図１１の拡大図であるが、スタッドが省略され、スナップトップが生地と係合している状態を示す断面図である。
【符号の説明】
【００４９】  ３６          スタッド
３８          ソケット
４０          スナップトップ、第２部部材
４２          生地、下層
４４          環状フランジ本体（スタッド３６の）
４６          円筒状スプリングアクション係合部（スタッド３６の）
４８          ソケット係合側（スタッド３６の）
５０          中心穴（スタッド３６の）
５２          ポスト（スナップトップ４０の）
５４          縁部（スタッド３６の）
５６          生地接触側、生地側（スタッド３６の）
５８          第１生地把持突起部（スタッド３６の）
６０          環状本体（ソケット３８の）
６２          中心孔（ソケット３８の）
６４          リム（ソケット３８の）
６６          生地接触側（ソケット３８の）
６８          円筒状スプリングアクション係合部、（ソケット３８の）
７０          スタッド係合側、第１側（ソケット３８の）
７２          第１生地把持突起部、第３生地把持突起部（ソケット３８の）
７４          外向き環状突起部（スタッド３６の）
７６          内向き環状突起部（ソケット３８の）
７８          環状フランジ部（スナップトップ４０の）
８０          生地接触側部（スナップトップ４０の）
８２          第２生地把持突起部、第４生地把持突起部（スナップトップ４０の）
８４          ギャップ、第１ギャップ（スタッド３６の）
８６          ギャップ、第１ギャップ（ソケット３８の）
８８          ギャップ、第２ギャップ（スナップトップ４０の）
９０          孔（スタッド１６の）
９２          孔（ソケット１４の）
９４          縁部（スタッド１６の）
９６          縁部（ソケット１４の）
９８          圧縮生地部
１００        非圧縮生地部
【図１】
0005105193.tif 000002
【図２】
0005105193.tif 000003
【図３】
0005105193.tif 000004
【図４】
0005105193.tif 000005
【図５】
0005105193.tif 000006
【図６】
0005105193.tif 000007
【図７】
0005105193.tif 000008
【図８】
0005105193.tif 000009
【図９】
0005105193.tif 000010
【図１０】
0005105193.tif 000011
【図１１】
0005105193.tif 000012
【図１２】
0005105193.tif 000013